(57)【要約】【課題】  カレンダーケースからカレンダースタンドへ簡単に変形でき、カレンダースタンドとして載置する際、その載置面積を小さくできる卓上カレンダースタンドを提供することを目的とする。【解決手段】  カレンダー40を収納するための矩形扁平状の収納体１と、矩形扁平状の蓋部材２と、を備え、蓋部材２と収納体１を、重合状態と略同一面状引出状態の間でスライドさせ、かつ、引出状態で蓋部材２を収納体１の裏面側に揺動させる組立手段３を具備し、さらに、組立手段３は、収納体１の両側面外側に形成されたガイド用凹溝４，４と、収納体１の両側面に対面するように蓋部材２の両側面端部に設けられる一対の突片部５，５と、ガイド用凹溝４内を摺動するように突片部５の内面側に形成される突起部６と、から成る。【選択図】  図１
0003102913.tif 000002
【実用新案登録請求の範囲】
【請求項１】
カレンダー（40）を収納するための矩形扁平状の収納体（１）と、矩形扁平状の蓋部材（２）と、を備え、該蓋部材（２）と該収納体（１）を、重合状態と略同一面状引出状態の間でスライドさせ、かつ、上記引出状態で該蓋部材（２）を上記収納体（１）の裏面側に揺動させる組立手段（３）を具備し、
さらに、該組立手段（３）は、上記収納体（１）の両側面外側に形成されたガイド用凹溝（４)(４）と、上記収納体（１）の両側面に対面するように上記蓋部材（２）の両側面端部に設けられる一対の突片部（５)(５）と、上記ガイド用凹溝（４）内を摺動するように該突片部（５）の内面側に形成される突起部（６）と、から成ることを特徴とする卓上カレンダースタンド。
【請求項２】
カレンダー（40）を収納するための矩形扁平状の収納体（１）と、矩形扁平状の蓋部材（２）と、を備え、該蓋部材（２）と該収納体（１）を、重合状態と略同一面状引出状態の間でスライドさせ、かつ、上記引出状態で該蓋部材（２）を上記収納体（１）の裏面側に揺動させる組立手段（３）を具備し、
さらに、該組立手段（３）は、上記収納体（１）の両側面外側に形成されたガイド用凹溝（４)(４）と、上記収納体（１）の両側面に対面するように上記蓋部材（２）の両側面端部に設けられる一対の突片部（５)(５）と、上記ガイド用凹溝（４）内を摺動するように該突片部（５）の内面側に形成される突起部（６）と、から成り、
上記重合状態で上記収納体（１）の上記突起部（６）と接する側の一端縁には、略台形状のカレンダー保持片（７）が折曲状に一体形成され、かつ、上記重合状態で該保持片（７）と対応するように上記蓋部材（２）には上記突片部（５）及び切欠部（８）をもって凹部（９）が形成されたことを特徴とする卓上カレンダースタンド。
【考案の詳細な説明】
【技術分野】
【０００１】
本考案は、カード式のカレンダーのケースが、そのままカレンダーのスタンドに変形する卓上カレンダースタンドに関するものである。
【背景技術】
【０００２】
従来、市販されている透明なＣＤケースやＦＤケース等を利用して成形されたカレンダーケースがあり、そのカレンダーケースは、カード式のカレンダーを収納した収納体と、蓋部材と、から成っていた。そして、スタンドとして利用する際は、収納体が傾斜した状態で蓋部材に係止され、蓋部材が台座となっていた（例えば、特許文献１参照）。
【特許文献１】実開平３−０４７１５９号公報
【考案の開示】
【考案が解決しようとする課題】
【０００３】
しかし、従来のカレンダーケースを、スタンドとして利用する場合、その載置面積が広く、このことにより、幅の狭い棚等の上には載置できなかった。また、卓上に載置した場合は、卓上の作業可能な面積が小さくなってしまう欠点があった。その従来のカレンダースタンドの一例を図９に示す。
【０００４】
そこで、本考案は、カレンダーケースからカレンダースタンドへ簡単に変形でき、カレンダースタンドとして載置する際、その載置面積を小さくできる卓上カレンダースタンドを提供することを目的とする。
【課題を解決するための手段】
【０００５】
上記の目的を達成するために、本考案に係る卓上カレンダースタンドは、カレンダーを収納するための矩形扁平状の収納体と、矩形扁平状の蓋部材と、を備え、該蓋部材と該収納体を、重合状態と略同一面状引出状態の間でスライドさせ、かつ、上記引出状態で該蓋部材を上記収納体の裏面側に揺動させる組立手段を具備し、さらに、該組立手段は、上記収納体の両側面外側に形成されたガイド用凹溝と、上記収納体の両側面に対面するように上記蓋部材の両側面端部に設けられる一対の突片部と、上記ガイド用凹溝内を摺動するように該突片部の内面側に形成される突起部と、から成る。
【０００６】
また、カレンダーを収納するための矩形扁平状の収納体と、矩形扁平状の蓋部材と、を備え、該蓋部材と該収納体を、重合状態と略同一面状引出状態の間でスライドさせ、かつ、上記引出状態で該蓋部材を上記収納体の裏面側に揺動させる組立手段を具備し、さらに、該組立手段は、上記収納体の両側面外側に形成されたガイド用凹溝と、上記収納体の両側面に対面するように上記蓋部材の両側面端部に設けられる一対の突片部と、上記ガイド用凹溝内を摺動するように該突片部の内面側に形成される突起部と、から成り、上記重合状態で上記収納体の上記突起部と接する側の一端縁には、略台形状のカレンダー保持片が折曲状に一体形成され、かつ、上記重合状態で該保持片と対応するように上記蓋部材には上記突片部及び切欠部をもって凹部が形成された。
【考案の効果】
【０００７】
本考案は、次のような著大な効果を奏する。
本考案に係る卓上カレンダースタンドによれば、カード式カレンダーを保持したまま、カレンダーケースからカレンダースタンドに簡単に変形でき、かつ、カレンダースタンドとして載置する際、その載置面積を小さくできる。
これにより、幅の狭い棚等の上にもカレンダースタンドを載置することができ、さらに、卓上に載置しても作業の邪魔にならない。
【考案を実施するための最良の形態】
【０００８】
以下、実施の形態に示す図面に基づき本考案を詳説する。
図１〜図８に示す第１の実施形態に於て、本考案に係る卓上カレンダースタンドは、カード式のカレンダー40を収納するための矩形扁平状の収納体１を備え、該収納体１上には、矩形扁平状の蓋部材２が取り付けられている。さらに、本考案に係る卓上カレンダースタンドは、該蓋部材２と該収納体１を、重合状態と略同一面状引出状態の間でスライドさせ、かつ、上記引出状態で該蓋部材２を上記収納体１の裏面側に揺動させる組立手段３を具備している。また、該収納体１と該蓋部材２は例えば透明のプラスチック製である。
【０００９】
上記収納体１は、底板11を有し、該底板11の両端縁に帯板状の側面ガイド部材10，10を底板11に垂直に一体状に付設している。上記蓋部材２は、蓋板12を有し、該蓋板12の両端縁に帯板状の側板13ａ，13ａを蓋板に垂直に一体状に付設している。該側板13ａ，13ａの内面間の幅は、側面ガイド部材10，10の外面間の幅より僅かに広く設定されている。
【００１０】
該組立手段３は、上記側面ガイド部材10，10の外面に長手方向に形成されたガイド用凹溝４，４と、上記側面ガイド部材10，10の外面に対面するように上記蓋部材２の側板13ａ，13ａの一端に設けられる一対の突片部５，５と、上記ガイド用凹溝４内を摺動するように該突片部５の内面側に形成される突起部６と、から成っている。ガイド用凹溝４は両端が半円弧状に成形され、突起部６は円形のピンである。
【００１１】
上記重合状態で、上記ガイド用凹溝４と上記突起部６とが係合する側の上記収納体１の一端縁には、略台形状のカレンダー保持片７が折曲状に一体形成されている。上記重合状態で該保持片７と対応するように、上記蓋板12には上記突片部５及び切欠部８をもって凹部９が形成されている。
また、蓋板12の上記凹部９が形成される端縁とは反対の端縁には、該蓋板12と垂直に帯板状の側板13ｂが一体に設けられている。
【００１２】
上述した本考案である卓上カレンダースタンドの使用方法（作用）について説明する。  図１に於て、本考案に係る卓上カレンダースタンドは、上記収納体１の上に上記蓋部材２が重なる重合状態になっており、その重合状態にある収納体１と蓋部材２の間には、カレンダー40が収納されている。このとき、上記突起部６，６は、上記ガイド用凹溝４，４の一端に係合している。
【００１３】
次に、図７に示すように、上記重合状態でのガイド用凹溝４の突起部６と係合する端から該凹溝４の他端まで突起部６が摺動することで、上記収納体１と蓋部材２は略同一面状の引出状態になる。その後、突起部６とガイド用凹溝４の他端の係合点を揺動中心として、蓋部材２を収納体１の裏面側に揺動させ、その揺動は、蓋部材２の上記切欠部８が収納体１の底板11に接するまで行う。この状態でカレンダースタンドへの組み立てが終わる。  そして、カレンダー40の表示面が見えるように、上記保持片７と上記側板13ｂを下方に向け台座として載置して図８に示す状態となる。
また、カレンダー40を差し換える場合は、保持片７からカレンダー40を抜き取り、カレンダー40の順を入れ換え又は別のカレンダー40に代えて保持片７内に差し込む。
【００１４】
以上のように、本考案である卓上カレンダースタンドは、カレンダー40を収納するための矩形扁平状の収納体１と、矩形扁平状の蓋部材２と、を備え、該蓋部材２と該収納体１を、重合状態と略同一面状引出状態の間でスライドさせ、かつ、上記引出状態で該蓋部材２を上記収納体１の裏面側に揺動させる組立手段３を具備し、さらに、該組立手段３は、上記収納体１の両側面外側に形成されたガイド用凹溝４，４と、上記収納体１の両側面に対面するように上記蓋部材２の両側面端部に設けられる一対の突片部５，５と、上記ガイド用凹溝４内を摺動するように該突片部５の内面側に形成される突起部６と、から成るので、カレンダー40を収納した状態のカレンダーケースからカレンダースタンドに簡単に変形でき、かつ、カレンダースタンドとして載置する際、その載置面積を小さくできる。これにより、幅の狭い棚等の上にも載置することができ、さらに、卓上に載置しても作業の邪魔にならない。
【００１５】
また、カレンダー40を収納するための矩形扁平状の収納体１と、矩形扁平状の蓋部材２と、を備え、該蓋部材２と該収納体１を、重合状態と略同一面状引出状態の間でスライドさせ、かつ、上記引出状態で該蓋部材２を上記収納体１の裏面側に揺動させる組立手段３を具備し、さらに、該組立手段３は、上記収納体１の両側面外側に形成されたガイド用凹溝４，４と、上記収納体１の両側面に対面するように上記蓋部材２の両側面端部に設けられる一対の突片部５，５と、上記ガイド用凹溝４内を摺動するように該突片部５の内面側に形成される突起部６と、から成り、上記重合状態で上記収納体１の上記突起部６と接する側の一端縁には、略台形状のカレンダー保持片７が折曲状に一体形成され、かつ、上記重合状態で該保持片７と対応するように上記蓋部材２には上記突片部５及び切欠部８をもって凹部９が形成されたので、カレンダー40を保持したまま、カレンダーケースからカレンダースタンドに簡単に変形でき、かつ、カレンダースタンドとして載置する際、その載置面積を小さくできる。これにより、幅の狭い棚等の上にも載置することができ、さらに、卓上に載置しても作業の邪魔にならない。
【図面の簡単な説明】
【００１６】
【図１】本考案の実施の形態を示す斜視図である。
【図２】斜視図である。
【図３】収納体の斜視図である。
【図４】収納体の側面図である。
【図５】蓋部材の斜視図である。
【図６】蓋部材の側面図である。
【図７】説明用の斜視図である。
【図８】使用の状態を示す斜視図である。
【図９】従来のカレンダースタンドを示す斜視図である。
【符号の説明】
【００１７】
１  収納体
２  蓋部材
３  組立手段
４  ガイド用凹溝
５  突片部
６  突起部
７  保持片
８  切欠部
９  凹部
40  カレンダー
【図１】
0003102913.tif 000003
【図２】
0003102913.tif 000004
【図３】
0003102913.tif 000005
【図４】
0003102913.tif 000006
【図５】
0003102913.tif 000007
【図６】
0003102913.tif 000008
【図７】
0003102913.tif 000009
【図８】
0003102913.tif 000010
【図９】
0003102913.tif 000011